(57)【要約】【課題】端子部分の発熱を抑制しつつ大電流を供給できるとともに、電気的接続を安定させることが可能な電気コネクタ、および電気コネクタセットを提供する。【解決手段】相手側の電気コネクタのコネクタハウジングと、凹状嵌合部２１ａにより、対面方向に凹凸係合可能なコネクタハウジング２１と、コネクタハウジング２１に設けられる複数列の接続端子列２２ａ、２２ｂと、接続端子列２２ａ、２２ｂの列方向の両外方側でコネクタハウジング２１に装着された導電性の第１プレート２６を有する導電性部材２５Ａと、を備え、コネクタハウジング２１は、凹状嵌合部２１ａに突出して設けられ、接続端子列２２ａ、２２ｂの列幅方向の一端を保持する端子保持体２１ｊを有し、導電性部材２５Ａは、第１プレート２６の端子保持体２１ｊ側の端部から接続端子列２２ａ、２２ｂの列方向に端子保持体２１ｊ内部まで延在する第２プレート２７ａを有する。【選択図】図９
2020061292.tif 000002
【特許請求の範囲】
【請求項１】
凹状嵌合部を有し、相手側コネクタの凸状嵌合部を有するコネクタハウジングと対面方向に凹凸係合可能なコネクタハウジングと、
前記コネクタハウジングに略同一平面上に配列された複数列の接続端子列と、
前記複数列の接続端子列よりも該接続端子の列方向の両外方側で前記コネクタハウジングに装着された導電性の第１プレートを有する導電性部材と、を備え、
前記コネクタハウジングは、前記凹状嵌合部の前記凸状嵌合部の中央凹部に対向する位置に突出して設けられ、前記接続端子の列幅方向の一端を保持する端子保持体と、を有し、
前記導電性部材は、前記第１プレートの前記端子保持体側の端部から前記接続端子の列方向に前記端子保持体内部まで延在する第２プレートを有することを特徴とする電気コネクタ。
【請求項２】
前記導電性部材は、前記端子保持体における前記複数列の接続端子列の間の位置まで前記第２プレートが延在していることを特徴とする請求項１に記載の電気コネクタ。
【請求項３】
前記導電性部材は、前記第１プレートと前記第２プレートを連結する連結板を有し、前記連結板が前記第１プレートのプレート面と前記第２プレートのプレート面に交差していることを特徴とする請求項１または２に記載の電気コネクタ。
【請求項４】
前記導電性部材は、前記第２プレートが、前記凹凸係合方向に平行なプレート面を有する板状部材で構成されることを特徴とする請求項１ないし３のいずれか１項に記載の電気コネクタ。
【請求項５】
前記導電性部材は、前記第２プレートが、前記凹凸係合方向に対して垂直なプレート面を有する板状部材で構成されることを特徴とする請求項１ないし３のいずれか１に記載の電気コネクタ。
【請求項６】
前記導電性部材は、前記第２プレートが、前記列方向に沿って所定の間隔で設けられ、それぞれが前記端子保持体の係合凸部に係合する開口を有するように前記列幅方向両側に折り曲げられた湾曲板状部材により構成されることを特徴とする請求項１ないし３のいずれか１項に記載の電気コネクタ。
【請求項７】
前記導電性部材は、前記第２プレートが、前記列方向に沿って所定の間隔で設けられ、それぞれが前記端子保持体の係合部に係合する面を形成するように前記列幅方向の片側に交互に折り曲げられた湾曲板状部材により構成されることを特徴とする請求項１ないし３のいずれか１項に記載の電気コネクタ。
【請求項８】
前記導電性部材は、前記第２プレートが、前記列方向に沿った溝部を有する桶状部材により構成されることを特徴とする請求項１ないし３のいずれか１項に記載の電気コネクタ。
【請求項９】
前記導電性部材は、前記第２プレートの一部が、前記端子保持体の上面側で露出していることを特徴とする請求項４ないし８のいずれか１項に記載の電気コネクタ。
【請求項１０】
前記導電性部材は、前記両外方側で前記コネクタハウジングに装着された前記第１プレートのうち、一方の側の前記第１プレートから延在される前記第２プレートと、他方の側の前記第１プレートから延在される前記第２プレートは、導通可能に連結されていることを特徴とする請求項１ないし９のいずれか１項に記載の電気コネクタ。
【請求項１１】
請求項１ないし１０に記載の電気コネクタと、前記相手側コネクタと、を備えたことを特徴とする電気コネクタセット。
【発明の詳細な説明】
【技術分野】
【０００１】
本発明は、電気コネクタ、および電気コネクタセットに関し、特に回路基板に実装されて互いに凹凸嵌合するソケットまたはプラグタイプの電気コネクタ、およびソケットとプラグからなる電気コネクタセットに関する。
【背景技術】
【０００２】
従来、基板に実装される平板状の電気コネクタが、回路基板にフレキシブル回路基板を接続するコネクタ等に使用されている。
【０００３】
この種の電気コネクタとしては、例えば、第１のコネクタと第２のコネクタを、各コネクタに備わる第１嵌合ガイドおよび第２嵌合ガイドにより互いに向き合った状態で嵌合させ得るものであって、第１コネクタに取り付けられる第１補強金具の接触腕部と第２コネクタに取り付けられる第２補強金具の接触腕部との接触面積を増やした構造を有するものが知られている（例えば、特許文献１参照）。
【０００４】
引用文献１に記載のものでは、第１コネクタと第２コネクタとが嵌合されると、第１補強金具と第２補強金具とが導通した状態となり、第１コネクタが取り付けられている第１基板の電源ラインと、第２コネクタが取り付けられている第２基板の電源ラインとが電気的に接続されることとなる。
【先行技術文献】
【特許文献】
【０００５】
【特許文献１】特開２０１３−１０１９０９号公報
【発明の概要】
【発明が解決しようとする課題】
【０００６】
しかしながら、特許文献１に記載のものは、第１補強金具の接触腕部と第２補強金具の接触腕部との接触面積が小さく、第１補強金具と第２補強金具を例えば電源端子として用いる場合に、電源から大電流を供給すると端子部分が高温状態に発熱することを避けられなかった。これにより、特許文献１に記載されるものでは、端子部分の温度上昇を抑えた状態で大きな電流を流すことが困難であった。
【０００７】
また、この種の電気コネクタでは、接続端子列の各接続端子を保持するばね部材を有するものもあり、このタイプの従来の電気コネクタにあっては、電気を導通させる導通経路を構成する接続端子部分が過熱した場合、嵌合中に弾性変形しているばね部材が塑性変形する可能性が高かった。ばね部材の塑性変形が発生すると接触加重が低下し、安定した電気的接続ができず、接触不良（動作不良）を起こす原因ともなった。
【０００８】
このように、従来の電気コネクタは、導通経路を構成する端子部分の接触面積が小さく、端子部分の発熱を抑制した状態での大電流の供給が困難であり、しかも、端子部分の発熱の影響で周辺部位が塑性変形し、電気的接続が不安定になるという問題があった。
【０００９】
そこで、本発明は、端子部分の発熱を抑制しつつ大電流を供給できるとともに、電気的接続を安定させることが可能な電気コネクタ、および電気コネクタセットを提供することを目的とする。
【課題を解決するための手段】
【００１０】
本発明の電気コネクタは、上記目的達成のため、凹状嵌合部を有し、相手側コネクタの凸状嵌合部を有するコネクタハウジングと対面方向に凹凸係合可能なコネクタハウジングと、前記コネクタハウジングに略同一平面上に配列された複数列の接続端子列と、前記複数列の接続端子列よりも該接続端子の列方向の両外方側で前記コネクタハウジングに装着された導電性の第１プレートを有する導電性部材と、を備え、前記コネクタハウジングは、前記凹状嵌合部の前記凸状嵌合部の中央凹部に対向する位置に突出して設けられ、前記接続端子の列幅方向の一端を保持する端子保持体と、を有し、前記導電性部材は、前記第１プレートの前記端子保持体側の端部から前記接続端子の列方向に前記端子保持体内部まで延在する第２プレートを有する構成である。
【００１１】
この構成により、本発明の電気コネクタは、導電性部材が、第１プレートから複数列の接続端子列の接続端子の列方向に端子保持体内まで延設される第２プレートを有するため、該導電性部材の表面積（体積）を増やすことができる。これにより、本発明の電気コネクタは、導電性部材を、導通経路を構成するための端子として用いる場合、通電中に端子部分の温度が上昇し難くなり、該端子部分が高温となることを抑制したままより大きな電流を供給可能になる。また、端子部分の温度上昇を抑制することで、端子部分の発熱による周辺部位の塑性変形も低減でき、電気的な接続を安定させることができる。
【００１２】
また、本発明の電気コネクタは、導電性部材の第２プレートが端子保持体内まで延設されているため、コネクタハウジングの外側の部位で相手側の電気コネクタから内側に掛かる荷重に対する剛性を高めることができ、かつ、コネクタハウジングの内部に延在する部位で相手側の電気コネクタから内側に掛かる荷重に対する剛性を高めることができ、相手側の電気コネクタの嵌合時の荷重で破壊し難いものとすることができる。
【００１３】
本発明の電気コネクタは、前記導電性部材が、前記端子保持体における前記複数列の接続端子列の間の位置まで前記第２プレートが延在している構成としてもよい。この構成により、本発明の電気コネクタは、導電性部材の端子としての強度が増し、相手側の電気コネクタの凹凸係合時にも安定した電気的接続を維持することが可能となる。
【００１４】
本発明の電気コネクタにおいて、前記導電性部材は、前記第１プレートと前記第２プレートを連結する連結板を有し、前記連結板が前記第１プレートのプレート面と前記第２プレートのプレート面に交差している構成とすることもできる。
【００１５】
この構成により、本発明の電気コネクタは、相手側コネクタの嵌入、離脱に際し、第１プレートのプレート面、および該プレート面に交差する第２プレートのプレート面に加わるそれぞれ異なる方向から力に対しても変形し難い高い剛性を確保することができる。また、剛性の向上により、相手側コネクタの嵌入、離脱に係る力を受けても破壊され難く、電気的な接続も安定させることができる。
【００１６】
本発明の電気コネクタにおいて、前記導電性部材は、前記第２プレートが、前記凹凸係合方向に平行なプレート面を有する板状部材で構成されていてもよい。この構成により、本発明の電気コネクタは、第２プレートのプレート面に直交する方向、すなわち、複数の接続端子列の列幅方向の力に対する強度が高まり、端子としての導電性部材の強度を確保しつつ第２プレートの延設による発熱抑制および電気的接続安定化の効果が見込めるものとなる。
【００１７】
本発明の電気コネクタにおいて、前記導電性部材は、前記第２プレートが、前記凹凸係合方向に対して垂直なプレート面を有する板状部材で構成されるようにしてもよい。
【００１８】
この構成により、本発明の電気コネクタは、第２プレートのプレート面に直交する方向、すなわち、上記凹凸係合方向の力に対する強度を高めることができ、端子としての導電性部材の強度を確保しつつ第２プレートの延設による発熱抑制および電気的接続安定化の効果が見込めるものとなる。
【００１９】
本発明の電気コネクタにおいて、前記導電性部材は、前記第２プレートが、前記列方向に沿って所定の間隔で設けられ、それぞれが前記端子保持体の係合凸部に係合する開口を有するように前記列幅方向両側に折り曲げられた湾曲板状部材により構成されてもよい。
【００２０】
この構成により、本発明の電気コネクタは、湾曲板状部材を設けた分、端子の体積を増やすことができ、発熱を抑制し、電気的接続の安定化も図ることができる。また、湾曲板状部材の開口を端子保持体の係合凸部に係合させることにより、導電性部材をより強固に固定することができるようになる。
【００２１】
本発明の電気コネクタにおいて、前記導電性部材は、前記第２プレートが、前記列方向に沿って所定の間隔で設けられ、それぞれが前記端子保持体の係合部に係合する面を形成するように前記列幅方向の片側に交互に折り曲げられた湾曲板状部材により構成されるものであってもよい。
【００２２】
この構成により、本発明の電気コネクタは、湾曲板状部材を設けた分、端子の体積を増やすことができ、発熱を抑制し、電気的接続の安定化も図ることができる。また、湾曲板状部材の交互に折り曲げられた面を端子保持体の係合部に係合させることにより、導電性部材をより強固に固定可能となる。
【００２３】
本発明の電気コネクタにおいて、前記導電性部材は、前記第２プレートが、前記列方向に沿った溝部を有する桶状部材により構成されていてもよい。
【００２４】
この構成により、本発明の電気コネクタは、桶状部材を設けた分、端子の体積を増やすことができ、発熱を抑制し、電気的接続の安定化も図ることができる。また、桶状部材の溝部に端子保持体の係合凸部が係合させることにより、導電性部材をより強固に固定することが可能となる。
【００２５】
本発明の電気コネクタにおいて、前記導電性部材は、前記第２プレートの一部が、前記端子保持体の上面側で露出している構成であってもよい。この構成により、本発明の電気コネクタは、第２プレートを外部に対して露出しないように端子保持体内に埋め込む場合に比べ、導電性部材を含むコネクタハウジングの組み立てが容易となる。
【００２６】
本発明の電気コネクタにおいて、前記導電性部材は、前記両外方側で前記コネクタハウジングに装着された前記第１プレートのうち、一方の側の前記第１プレートから延在される前記第２プレートと、他方の側の前記第１プレートから延在される前記第２プレートは、導通可能に連結されている構成であってもよい。
【００２７】
この構成により、本発明の電気コネクタは、相手側の電気コネクタとの凹凸係合状態において、１つの導電性部材を各種の信号を送信する信号線として運用することができる。ここでも導電性部材は、両端の第１プレートから第２プレート２７ｂが端子保持体内まで延設されている構造を有しているため、該導電性部材の信号端子としての体積を大きくすることができ、発熱を抑制しながら大電流を流すことが可能となる。
【００２８】
本発明の電気コネクタセットは、上記目的達成のため、前述した構成を有する本発明の電気コネクタと、前記相手側コネクタと、を備えた構成を有するものである。
【００２９】
この構成により、本発明の電気コネクタセットは、相手側コネクタと凹凸係合する電気コネクにおいて、導電性部材が、第１プレートから複数列の接続端子列の接続端子の列方向に端子保持体内まで延設される第２プレートを有するため、導電性部材の体積（表面積）を増やすことができる。これにより、本発明の電気コネクタセットは、導電性部材を、導通経路を構成するための端子として用いる場合、通電中に端子部分の温度が上昇し難くなり、該端子部分が高温となることを抑制したままより大きな電流を供給可能になる。また、この電気コネクタセットでは、相手側コネクタの凹凸係合を受ける電気コネクタ側で端子部分の温度上昇を抑制することで、端子部分の発熱による周辺部位の塑性変形も低減でき、電気的な接続を安定させることができる。
【００３０】
さらに、本発明の電気コネクタセットでは、導電性部材の第２プレートが端子保持体内まで延設されているため、コネクタハウジングの外側の部位で相手側の電気コネクタから内側に掛かる荷重に対する剛性を高めることができ、かつ、コネクタハウジングの内部に延在する部位で相手側の電気コネクタから内側に掛かる荷重に対する剛性を高めることができ、相手側の電気コネクタの嵌合時の荷重で破壊し難いものとすることができる。
【発明の効果】
【００３１】
本発明によれば、端子部分の発熱を抑制しつつ大電流を供給できるとともに、電気的接続を安定させることが可能な電気コネクタ、および電気コネクタセットを提供することができる。
【図面の簡単な説明】
【００３２】
【図１】本発明の第１実施形態に係る電気コネクタ（ソケット）の要部の一部破砕断面を含む斜視図である。
【図２】本発明の第１実施形態に係る電気コネクタセットの分解斜視図である。
【図３】本発明の第１実施形態に係る電気コネクタセットのソケットとプラグとの雌雄結合状態を示す斜視図であり、（ａ）はその上面側を、（ｂ）はその下面側を示している。
【図４】本発明の第１実施形態に係る電気コネクタ（ソケット）の外観斜視図であり、（ａ）はその上面側の外観を、（ｂ）はその下面側の外観を示している。
【図５】本発明の第１実施形態に係る電気コネクタ（プラグ）の外観斜視図であり、（ａ）は凸形状をなすその下面側の外観を、（ｂ）はその上面側の外観を示している。
【図６】本発明の第１実施形態に係る電気コネクタ（ソケット）のコネクタハウジングに装着される導電性部材の斜視図であり、（ａ）は上面側の外観を、（ｂ）はその下面側の外観を示している。
【図７】本発明の第１実施形態に係る電気コネクタ（ソケット）のコネクタハウジングにおける導電性部材と接続端子列との配置態様を示す斜視図である。
【図８】本発明の第１実施形態に係る電気コネクタ（ソケット）の分解斜視図であり、上側は補強金具の外観を、下側は導電性部材が装着されたコネクタハウジングの外観を示している。
【図９】（ａ）は本発明の第１実施形態に係る電気コネクタ（ソケット）の補強金具が外装されていない状態のコネクタハウジングの長手方向の縦断面図、（ｂ）はそのソケットの長手方向中間部の横断面図である。
【図１０】（ａ）は本発明の第１実施形態に係る電気コネクタ（ソケット）の補強金具が外装された状態のココネクタハウジングの長手方向の縦断面図、（ｂ）はそのソケットの長手方向端部の横断面図である。
【図１１】（ａ）は本発明の第１実施形態に係る電気コネクタセットにおけるソケットとプラグとの雌雄結合状態を示す長手方向の縦断面図、（ｂ）はその電気コネクタセットにおける長手方向端部の横断面図である。
【図１２】本発明の第１実施形態に係る電気コネクタ（ソケット）における導電性部材の端子運用パターンを示す模式図であり、（ａ）は各導電性部材を正極および負極の電源端子として用いる場合のパターンを示し、（ｂ）は各導電性部材と近接する接続端子列の接続端子とを正極および負極の電源端子として用いる場合のパターンを示す。
【図１３】本発明の第１実施形態の変形例に係る電気コネクタ（ソケット）のコネクタハウジングに装着される導電性部材の斜視図である。
【図１４】本発明の第１実施形態の変形例に係る電気コネクタ（ソケット）のコネクタハウジングの長手方向の縦断面図である。
【図１５】本発明の変形例に係る電気コネクタ（ソケット）における導電性部材の端子運用パターンを示す模式図である。
【図１６】本発明の第２実施形態に係る電気コネクタ（ソケット）の外観斜視図である。
【図１７】本発明の第２実施形態に係る電気コネクタ（ソケット）のコネクタハウジングに装着される導電性部材の斜視図であり、（ａ）は上面側の外観を、（ｂ）はその下面側の外観を示している。
【図１８】（ａ）は本発明の第２実施形態に係る電気コネクタ（ソケット）のコネクタハウジングの長手方向の縦断面図、（ｂ）はそのソケットの長手方向中間部の横断面図である。
【図１９】本発明の第３実施形態に係る電気コネクタ（ソケット）の外観斜視図である。
【図２０】本発明の第３実施形態に係る電気コネクタ（ソケット）のコネクタハウジングに装着される導電性部材の斜視図であり、（ａ）は上面側の外観を、（ｂ）はその下面側の外観を示している。
【図２１】（ａ）は本発明の第３実施形態に係る電気コネクタ（ソケット）のコネクタハウジングの長手方向の縦断面図、（ｂ）はそのソケットの長手方向中間部の横断面図ある。
【図２２】本発明の第４実施形態に係る電気コネクタ（ソケット）の外観斜視図である。
【図２３】本発明の第４実施形態に係る電気コネクタ（ソケット）のコネクタハウジングに装着される導電性部材の斜視図であり、（ａ）は上面側の外観を、（ｂ）はその下面側の外観を示している。
【図２４】（ａ）は本発明の第４実施形態に係る電気コネクタ（ソケット）のコネクタハウジングの長手方向の縦断面図、（ｂ）はそのソケットの長手方向中間の横断面図である。
【図２５】本発明の第５実施形態に係る電気コネクタ（ソケット）の外観斜視図である。
【図２６】本発明の第５実施形態に係る電気コネクタ（ソケット）のコネクタハウジングに装着される導電性部材の斜視図であり、（ａ）は上面側の外観を、（ｂ）はその下面側の外観を示している。
【図２７】（ａ）は本発明の第５実施形態に係る電気コネクタ（ソケット）のコネクタハウジングの長手方向の縦断面図、（ｂ）はそのソケットの長手方向端部の横断面図である。
【発明を実施するための形態】
【００３３】
以下、本発明を実施するための形態について、図面を参照しつつ説明する。
【００３４】
（第１実施形態）
図１ないし図１１は、本発明の第１実施形態に係る電気コネクタを示している。
【００３５】
以下においては、主にソケット側の電気コネクタ２０Ａを例にその構成について説明するが、プラグ側の電気コネクタ３０Ａに本発明を適用することもできる。
【００３６】
図１ないし図３に示すように、本実施形態の電気コネクタセット１０は、対面方向に凹凸係合するソケット状の電気コネクタ２０Ａとプラグ状の電気コネクタ３０Ａとを有する。
【００３７】
電気コネクタ２０Ａのコネクタ本体部２０は、主に上面側で凹状をなし下面側で略平坦状をなすように射出成形された合成樹脂製のコネクタハウジング２１と、コネクタハウジング２１にそれぞれ略同一平面上（共面的）に配列された複数列の雌雄片方側、例えば雌側の接続端子列２２ａ、２２ｂの該接続端子の列方向外方に設けられる部分（第１プレート２６）、および複数列の接続端子列２２ａ、２２ｂの間に設けられ得る部分（第２プレート２７ａ）を有する導電性部材２５Ａ（図６参照）と、を有する。
【００３８】
図１ないし図４に示すように、コネクタハウジング２１は、例えば角環状の溝形状をなす凹状嵌合部２１ａと、凹状嵌合部２１ａに沿って延びる外表面２１ｂと、回路基板Ｐ（図２参照）に対面する基板対向面２１ｃ（図３（ｂ）参照）と、凹状嵌合部２１ａが形成される面の中央部に突出して設けられ、該凹状嵌合部２１ａの溝形状に沿って配列された複数列の端子保持部２１ｈ、２１ｉを有する端子保持体２１ｊとを有している。
【００３９】
複数列の接続端子列２２ａ、２２ｂは、図１中のＸ方向を列幅方向としてコネクタハウジング２１の複数の端子保持部２１ｈ、２１ｉに嵌入されたレセプタクルコンタクトであり、それぞれコネクタハウジング２１に抜け止め状態に保持されている。
【００４０】
図２および図５に示すように、相手側の電気コネクタ３０Ａのコネクタ本体部３０は、主に片面側で凸状をなすコネクタハウジング３１と、コネクタハウジング３１にそれぞれ共面的に配置された複数列の雌雄もう片方側、例えば雄側の接続端子列３２ａ、３２ｂと、を有している。
【００４１】
コネクタハウジング３１は、例えば角環状の突条形状をなす凸状嵌合部３１ａと、凸状嵌合部３１ａに沿って延びる外表面３１ｂ（図５（ａ）参照）と、凸状嵌合部３１ａの内方に位置する中央凹部３１ｃとを有している。
【００４２】
複数列の接続端子列３２ａ、３２ｂは、コネクタハウジング３１の凸状嵌合部３１ａに一体に装着されたプラグコンタクトであり、それぞれの外端部分が互いに平行に整列している。
【００４３】
電気コネクタ２０Ａおよび相手側の電気コネクタ３０Ａのコネクタ本体部２０、３０には、導電性の補強金具２４、３４が設けられている。
【００４４】
図１ないし図４、および図８に示すように、電気コネクタ２０Ａのコネクタ本体部２０は、対応するコネクタハウジング２１に外装された導電性の補強金具２４を有している。補強金具２４は、板金を所定形状にプレス加工したもので、コネクタハウジング２１の短手方向両側の外表面２１ｂに沿って延在する一対の長側板部２４ａと、コネクタハウジング２１の凹状嵌合部２１ａより外方側でコネクタハウジング２１の外表面２１ｂに沿って延在する一対の連結板部２４ｂと、一対の連結板部２４ｂから凹状嵌合部２１ａの内奥側（下向き）に突出するように曲げ加工された各一対の内外の端板部２４ｃと、両端側で一対の長側板部２４ａおよび一対の連結板部２４ｂに連続するとともに中間部で曲げ加工された折曲形状を有する各一対の曲げ連結部２４ｄとを有している。
【００４５】
補強金具２４において、各一対の内外の端板部２４ｃには、相手側の電気コネクタ３０Ａを凹凸係合させたときに該電気コネクタ３０Ａの段付き凹部３４ｃと係合する係合凸部２４ｆが設けられている。
【００４６】
また、補強金具２４は、一対の内外の端板部２４ｃが、コネクタハウジング２１の長手方向両端部で導電性部材２５Ａの補強金具接続部の少なくとも一部に重なった状態でコネクタハウジング２１に装着されている（図９ないし図１１参照）。なお、導電性部材２５Ａは、その構成について後で図６を参照して詳しく説明するように、補強金具接続部としての側端板２６ｂ、２６ｃ、２６ｄ（図６参照）を有する第１プレート２６を備えている。さらに、導電性部材２５Ａは、コネクタ本体部２０の対応するコネクタハウジング２１の基板対向面２１ｃ側に露出する複数の略方形凸面状の外部接続部２６ａ１、２７ａ２（図３（ｂ）参照）を有している。これにより、補強金具２４は、導電性部材２５Ａに対して機械的および電気的に結合されており、導電性部材２５Ａを介して回路基板Ｐの所定の導電パターンに接続されることで、該導電パターンを介して電気的導通が可能となる。
【００４７】
なお、補強金具２４における一対の端板部２４ｃの各一対の下端部および各一対の曲げ連結部２４ｄの下端部は、コネクタハウジング２１の各列の接続端子列２２ａ、２２ｂの下面および導電性部材２５Ａの外部接続部２６ａ１、２７ａ２（図３（ｂ）、図４（ｂ）参照）の下面に対して略同一平面上に配置されているか所定の突出高さに設定されている。
【００４８】
図５に示すように、相手側の電気コネクタ３０Ａのコネクタ本体部３０に設けられた補強金具３４は、コネクタハウジング３１の長手方向全域でその上面３１ｄに沿って延在する上面カバー部３４ａ（図５（ｂ）参照）と、コネクタハウジング３１の長手方向両端面およびその近傍の下面を覆う両端板部３４ｂと、両端板部３４ｂの一部に形成された段付き凹部３４ｃと、両端板部３４ｂからコネクタハウジング３１の上面側に延設された各一対の着脱操作部３４ｄと、両端板部３４ｂからコネクタハウジング３１の両側面側に延設された各一対の側板部３４ｅと、を有している。このうち、各一対の側板部３４ｅには、電気コネクタ２０Ａに対する凹凸係合時に、導電性部材２５Ａに設けられる係合凸部２６ｆ（図６参照）に係合して当該係合を保持する係合凹部３４ｆが形成されている。
【００４９】
次に、電気コネクタ２０Ａのコネクタハウジング２１に装着される導電性部材２５Ａおよび補強金具２４の構成について詳しく説明する。図６は、導電性部材２５Ａの構成を示す斜視図であり、図７は、導電性部材２５Ａと複数列の接続端子列２２ａ、２２ｂの配置態様を示す斜視図である。
【００５０】
図６に示すように、導電性部材２５Ａは、導電性の部材で構成され、第１プレート２６と、第２プレート２７ａと、第１プレート２６と第２プレート２７ａを連結する連結板２８とを有している。コネクタハウジング２１において、第１プレート２６は、複数列の接続端子列２２ａ、２２ｂよりも該接続端子の列方向の両外方側でコネクタハウジング２１に装着されており、第２プレート２７ａは複数列の接続端子列２２ａ、２２ｂの間で該接続端子の列方向に延在している。
【００５１】
本実施形態に係る電気コネクタ２０Ａは、特に、上記構造を有する２つの導電性部材２５Ａを、第２プレート２７ａの第１プレート２６とは反対側の端部同士が近接するように、複数列の接続端子列２２ａ、２２ｂの接続端子の列方向に配列した構成（図６、図７、図９〜図１１参照）を有している。
【００５２】
図６に示すように、２つの導電性部材２５Ａは、それぞれ、第１プレート２６と第２プレート２７ａが連結板２８により連結された一体物で構成されている。導電性部材２５Ａにおいて、連結板２８は、第１プレート２６のプレート面２６ａと第２プレート２７ａのプレート面２７ａ１に直交している。連結板２８は、接続端子列２２ａ、２２ｂの列方向の外方にコネクタハウジング２１から露出して設けられていてもよい。例えば、連結板２８は、コネクタハウジング２１の端子保持体２１ｊにおける接続端子列２２ａ、２２ｂの列方向両端側の側面から露出しかつその一部が該側面に接した状態で配設された構成とすることができる。
【００５３】
導電性部材２５Ａにおける第１プレート２６および第２プレート２７ａのうち、第２プレート２７ａは、電気コネクタ２０Ａおよび相手側の電気コネクタ３０Ａのコネクタ本体部２０、３０の結合・離脱方向（図１中のＺ方向）および接続端子列２２ａ、２２ｂの列方向（図１中のＹ方向）に延設される平坦面であるプレート面２７ａ１を有する板状部材で構成される。第２プレート２７ａは、プレート面２７ａ１の下端側面部に、接続端子列２２ａ、２２ｂの列方向（図１中のＹ方向）に沿って所定の間隔ごとに複数の外部接続部２７ａ２が形成されている。
【００５４】
導電性部材２５Ａにおいて、第１プレート２６は、上記結合・離脱方向および接続端子列２２ａ、２２ｂの列幅方向（図１中のＸ方向）に延設される平坦面であるプレート面２６ａと、該プレート面２６ａにおける連結板２８接続端以外の３方の端部から上記結合・離脱方向に沿って立設される側端板２６ｂ、２６ｃ、２６ｄを有している。
【００５５】
側端板２６ｂは、プレート面２６ａにおける連結板２８接続端に対向する端部から立設されている。側端板２６ｂは、当該導電性部材２５Ａが装着されているコネクタハウジング２１に補強金具２４が外装されたときに、補強金具２４の各一対の内外の端板部２４ｃがその一部が重ね合わされる部分である。この側端板２６ｂに重ね合わされる補強金具２４の各一対の内外の端板部２４ｃは、コネクタハウジング２１の凹状嵌合部２１ａにおける接続端子列２２ａ、２２ｂの列方向の両側端を規定するようになっている。なお、側端板２６ｂが立設されるプレート面２６ａには、該側端板２６ｂの両側でその一部が外方に向かって延設される一対の外部接続部２６ａ１が形成されている。
【００５６】
側端板２６ｃ、２６ｄは、プレート面２６ａにおける連結板２８接続端に隣接する各端部から立設され、コネクタハウジング２１の凹状嵌合部２１ａにおける接続端子列２２ａ、２２ｂの列幅方向の両側端を規定するようになっている。
【００５７】
第１プレート２６において、側端板２６ｂは、上端側の端部で接続端子列２２ａ、２２ｂの列方向外方に突出されかつ該側端板２６ｂの基部の外側に折り曲げ加工された湾曲形状の延在部２６ｂ１を有している。延在部２６ｂ１は、その末端側で側端板２６ｂの非折り曲げ加工部分（側端板２６ｂの基部）との間に開口を有する溝部２６ｂ２を形成している。同様に、第１プレート２６において、側端板２６ｃ、２６ｄは、接続端子列２２ａ、２２ｂの列幅方向外方に突出されかつ該側端板２６ｃ、２６ｄの基部の外側に折り曲げ加工された湾曲形状の延在部２６ｃ１、２６ｄ１を有している。延在部２６ｃ１、２６ｄ１は、それぞれ、その末端側で側端板２６ｃ、２６ｄの非折り曲げ加工部分（側端板２６ｃ、２６ｄの各基部）との間に開口を有する溝部２６ｃ２、２６ｄ２を形成している。
【００５８】
導電性部材２５Ａの第１プレート２６に形成される溝部２６ｂ２、２６ｃ２および２６ｄ２は、それぞれ、コネクタハウジング２１に当該溝部２６ｂ２、２６ｃ２および２６ｄ２にそれぞれ対応して形成される係合凸部の係合を受け入れる係合凹部としての機能を果たす。なお、コネクタハウジング２１は、上記係合凸部として、接続端子列２２ａ、２２ｂの列方向の両外方で一対の側端板２６ｂの各溝部２６ｂ２に係合する列方向係合部２１ｅ（図９参照）と、接続端子列２２ａ、２２ｂの列幅方向の両外方で側端板２６ｃ、２６ｄの溝部２６ｃ２、２６ｄ２にそれぞれ係合する列幅方向係合部２１ｆ（図１０参照）と、を有している。
【００５９】
導電性部材２５Ａは、第１プレート２６の側端板２６ｃ、２６ｄに、それぞれ、相手側の電気コネクタ３０Ａのコネクタ本体部３０に設けられる係合凹部３４ｆに係合する係合凸部２６ｆが形成されている。係合凸部２６ｆは、接続端子列２２ａ、２２ｂの列幅方向両側の対称な位置に設けられる一対の弾性突起部材で構成されている。係合凸部２６ｆは、接続端子列２２ａ、２２ｂの列方向両側に各一対設けられている。
【００６０】
図６に示す構成を有する２つの導電性部材２５Ａを装着したコネクタハウジング２１を含む電気コネクタ２０Ａは、２つの導電性部材２５Ａと接続端子列２２ａ、２２ｂとが、コネクタハウジング２１内で、例えば、図７に示すような配置関係を有している。すなわち、２つの導電性部材２５Ａと接続端子列２２ａ、２２ｂとは、それぞれの導電性部材２５Ａの第２プレート２７ａが接続端子列２２ａ、２２ｂの間に介挿された状態に配置されている。この配置状態において、各導電性部材２５Ａは、第２プレート２７ａに設けられる外部接続部２７ａ２により、コネクタハウジング２１の基板対向面２１ｃ側で回路基板Ｐ（図２参照）上の配線パターンに対して接続されることで、該配線パターンを介した通電が可能となる。
【００６１】
導電性部材２５Ａは、コネクタハウジング２１にインサート成形されて一体化されたものであるか、あるいは、成形後のコネクタハウジング２１に圧入されたものである。
【００６２】
本実施形態に係る電気コネクタ２０Ａにおいて、コネクタハウジング２１は、例えば、コネクタハウジング２１の型枠内に図７に示す位置関係で２つの導電性部材２５Ａと接続端子列２２ａ、２２ｂとを配置し、該型枠内に合成樹脂を流し込むことにより、２つの導電性部材２５Ａと接続端子列２２ａ、２２ｂがインサート成形されたものである。図８に示すコネクタハウジング２１の分解斜視図において、下側の図は、上記インサート成形により得られるコネクタハウジング２１の外観構造を示している。
【００６３】
図８に示すように、インサート成形によって得られるコネクタハウジング２１は、その上方側から補強金具２４（図８の上側の図参照）を外装することにより、例えば、図４（ａ）に示す構造のコネクタ本体部２０を有する電気コネクタ２０Ａとなり得る。
【００６４】
本実施形態に係る電気コネクタ２０Ａの内部構造を理解し易くするために、その断面構造を図９〜図１１に示している。図９において、（ａ）は電気コネクタ２０Ａの補強金具２４が外装されていない状態のコネクタハウジング２１の長手方向の縦断面図（図８におけるＥ−Ｅ線断面図）を示し、（ｂ）はコネクタハウジング２１の長手方向中間部の横断面図（図８におけるＦ−Ｆ線断面図）を示している。図１０において、（ａ）は電気コネクタ２０Ａの補強金具２４が外装された状態のコネクタハウジング２１の長手方向の縦断面図（図４におけるＡ−Ａ線断面図）を示し、（ｂ）はコネクタハウジング２１の長手方向端部の横断面図（図４におけるＢ−Ｂ線断面図）を示している。
【００６５】
図９に示すように、電気コネクタ２０Ａのコネクタハウジング２１において、端子保持体２１ｊは、その内部に、導電性部材２５Ａの第１プレート２６から延在された第２プレート２７ａを収容している。ここで導電性部材２５Ａは、第２プレート２７ａが、相手側の電気コネクタ３０Ａとの凹凸係合方向に平行したプレート面２７ａ１を有しており、図９（ｂ）に示すように、複数列の接続端子列２２ａ、２２ｂの列幅方向の中央部に位置するように端子保持体２１ｊに装着されている。
【００６６】
図１０（ａ）に示すように、本実施形態に係る電気コネクタ２０Ａは、コネクタハウジング２１の長手方向におけるコネクタハウジング２１と導電性部材２５Ａとの関係については、該長手方向の両端位置で、それぞれの導電性部材２５Ａの第１プレート２６における側端板２６ｂの溝部２６ｂ２に対して、コネクタハウジング２１の列方向係合部２１ｅが係合した状態となっている。同じく、導電性部材２５Ａと補強金具２４との関係については、補強金具２４の一対の連結板部２４ｂの内面の一部が、導電性部材２５Ａの第１プレート２６における側端板２６ｂの延在部２６ｂ１の上面に一部が重なった状態となっている。さらに、補強金具２４の各一対の内外の端板部２４ｃの内面側と、導電性部材２５Ａの第１プレート２６における側端板２６ｂの基部に接した状態となっている。
【００６７】
また、電気コネクタ２０Ａは、コネクタハウジング２１の短手方向におけるコネクタハウジング２１と導電性部材２５Ａとの関係については、図１０（ｂ）に示すように、コネクタハウジング２１の短手方向の両端位置で、それぞれの導電性部材２５Ａの第１プレート２６における側端板２６ｃ、２６ｄの溝部２６ｃ２、２６ｄ２に対して、コネクタハウジング２１の列幅方向係合部２１ｆが係合した状態となっている。また、導電性部材２５Ａと補強金具２４との関係については、補強金具２４の各一対の曲げ連結部２４ｄの内面側が、導電性部材２５Ａの第１プレート２６の側端板２６ｃ、２６ｄの各延在部２６ｃ１、２６ｄ１の外側面に接した状態となっている。
【００６８】
電気コネクタ２０Ａはまた、相手側の電気コネクタ３０Ａを雌雄結合（凹凸係合）させることにより、図３に示す外観構造を有する電気コネクタセット１０とすることができる。図１１において、（ａ）は電気コネクタセット１０におけるソケットとプラグとの雌雄結合状態を示す長手方向の縦断面図（図３におけるＣ−Ｃ線断面図）であり、（ｂ）はその電気コネクタセット１０における長手方向端部の横断面図（図３におけるＤ−Ｄ線断面図）を示している。
【００６９】
図１１（ａ）および（ｂ）に示すように、電気コネクタセット１０は、電気コネクタ２０Ａにおいて、補強金具２４の一部（一対の連結板部２４ｂ）が、導電性部材２５Ａの第１プレート２６における側端板２６ｂの延在部２６ｂ１の上面（図１１（ａ）参照）、ならびに側端板２６ｃ、２６ｄの各延在部２６ｃ１、２６ｄ１の上面および外側面（図１１（ｂ）参照）に接した状態で、相手側の電気コネクタ３０Ａの凹凸係合を受け入れ得るようになっている。
【００７０】
上述した凹凸係合時、電気コネクタセット１０においては、導電性部材２５Ａの側端板２６ｂ、２６ｃ、２６ｄが補強金具２４の一対の連結板部２４ｂ、各一対の内外の端板部２４ｃ、各一対の曲げ連結部２４ｄに対して電気的に接続されるとともに、導電性部材２５Ａの第１プレート２６のプレート面２６ａが、相手側の電気コネクタ３０Ａの補強金具３４の両端板部３４ｂに対し抜止め嵌合とともに電気的に接続される。これにより、電気コネクタセット１０では、電気コネクタ２０Ａおよび相手側の電気コネクタ３０Ａのコネクタ本体部２０、３０が、これらの結合時に両補強金具２４、３４を、それぞれ導電性部材２５Ａを介して電気的に導通可能となる構成を有している。
【００７１】
このように、本実施形態に係る電気コネクタセット１０を実現する電気コネクタ２０Ａは、コネクタハウジング２１に装着される導電性部材２５Ａを電気を導通するための導通経路における接続用端子として用いることができるようになっている。
【００７２】
前述したように、電気コネクタセット１０として用いる際、コネクタハウジング２１に装着される各導電性部材２５Ａは、第２プレート２７ａに設けられる外部接続部２７ａ２により、該コネクタハウジング２１の基板対向面２１ｃ側で回路基板Ｐ（図２参照）上の配線パターンに対して接続されるようになっている。ここで、各導電性部材２５Ａは、接続されている上記配線パターンが電源用の配線パターンＷｐ１であるか、制御信号等の信号用の配線パターンＷｐ２であるかによって、それぞれ、電源端子、信号端子として機能し得るものである（図１２、図１５参照）。
【００７３】
本実施形態に係る電気コネクタ２０Ａにおける導電性部材２５Ａの端子運用パターンについて図１２を参照して説明する。
【００７４】
本実施形態に係る電気コネクタ２０Ａにおいては、コネクタハウジング２１に２つの導電性部材２５Ａを装着している（図６、図７、図９〜図１１参照）。これにより、電気コネクタ２０Ａの端子運用パターンの一例としては、例えば、図１２（ａ）に示すように、一方の導電性部材２５Ａを正極の電源端子に、他方を負極の電源端子として用いることができる。この端子運用パターンは、各導電性部材２５Ａの外部接続部２７ａ２が、コネクタハウジング２１の基板対向面２１ｃ側で回路基板Ｐ（図２参照）上の電源用の配線パターンＷｐ１に接続されていることが前提となる。
【００７５】
ここで、電気コネクタ２０Ａでは、正極および負極の電源端子にそれぞれ対応する２つの導電性部材２５Ａは、いずれも、接続端子列２２ａ、２２ｂの接続端子の列方向外方の各第１プレート２６から上記列方向に沿って端子保持体２１ｊ内部まで延在する第２プレート２７ｂが延在し、上記列方向外方の各第１プレート２６のみを利用する場合に比べて電源端子の体積ならびに表面積が大きいものとなっている。これにより、図１２（ａ）に示すパターンでの端子運用に際しては、各第１プレート２６のみを電源端子として用いる場合に比べて端子の体積、表面積が増えた分、放熱効果も向上し、発熱の抑制効果が高まる。
【００７６】
また、コネクタハウジング２１に２つの導電性部材２５Ａを装着している電気コネクタ２０Ａにおいては、例えば、図１２（ｂ）に示すパターンの端子運用も可能である。すなわち、図１２（ｂ）においては、一方の導電性部材２５Ａを正極の電源端子に、他方を負極の電源端子として用い得る（図１２（ａ）参照）ことを前提とし、複数の接続端子列２２ａ、２２ｂの接続端子の列方向の中間部分を境に、一方の導電性部材２５Ａ寄りの（一方の導電性部材２５Ａに近接する）接続端子列２２ａ、２２ｂを該一方の導電性部材２５Ａと同じ正極の電源端子として用い、他方の導電性部材２５Ａ寄りの（他方の導電性部材２５Ａに近接する）接続端子列２２ａ、２２ｂを該他方の導電性部材２５Ａと同じ負極の電源端子として用いる構成となっている。
【００７７】
図１２（ｂ）において、一方の導電性部材２５Ａ、他方の導電性部材２５Ａとともに正極あるいは負極の電源端子として用いる接続端子列２２ａ、２２ｂの接続端子の数はそれぞれ任意に決定することができる。この場合において、正極の電源端子として用いる接続端子列２２ａ、２２ｂ、および負極の電源端子として用いる接続端子列２２ａ、２２ｂは、コネクタハウジング２１の基板対向面２１ｃ側で回路基板Ｐ（図２参照）上の電源用の配線パターンＷｐ１中、一方の導電性部材２５Ａまたは他方の導電性部材２５Ａが接続されている各ランドに対してそれぞれ接続されている必要がある。図１２（ｂ）に示すパターンでの端子運用においては、図１２（ａ）に示すパターンでの端子運用に対して電源端子の体積（表面積）が大きくなるため、発熱抑制効果をさらに高めることができる。
【００７８】
電気コネクタ２０Ａにおいて、導電性部材２５Ａを電源端子等として用いる場合には、発明が解決しようとする課題の欄でも述べたように、端子部分の発熱を抑制しつつ大電流を供給できることが要求される。この点に関し、本実施形態に係る電気コネクタ２０Ａでは、端子として用いる導電性部材２５Ａの構造について、第２プレート２７ａの体積（表面積）を大きくする工夫がなされている。例えば、導電性部材２５Ａは、第１プレート２６に連結板２８により連結される第２プレート２７ａが、接続端子列２２ａ、２２ｂの列方向に従来よりも長く延設されている。
【００７９】
具体的に、例えば、図７、図９〜図１１に示すように、導電性部材２５Ａは、第１プレート２６の端子保持体２１ｊ側の端部から接続端子列２２ａ、２２ｂの列方向に端子保持体２１ｊ内部まで延在する第２プレート２７ａを有する構成となっている。
【００８０】
特に、本実施形態において、導電性部材２５Ａは、接続端子列２２ａ、２２ｂの各接続端子を保持する端子保持部２１ｈ、２１ｉを有する端子保持体２１ｊにおける上記接続端子列２２ａ、の間の位置まで第２プレート２７ａが延在している。
【００８１】
また、本実施形態では、導電性部材２５Ａの第２プレート２７ａが端子保持体２１ｊ内部まで延在する構成に関連し、導電性部材２５Ａの端子保持体２１ｊ内部まで延在している部分が、当該端子保持体２１ｊの内部で板厚方向に角度が変化する構造を有している。
【００８２】
具体的に、導電性部材２５Ａは、第１プレート２６と第２プレート２７ａを連結する連結板２８を有し、連結板２８が第１プレート２６のプレート面２６ａと第２プレート２７ａのプレート面２７ａ１に直交している構成を有している。なお、本実施形態において、導電性部材２５Ａに関する前述した「端子保持体２１ｊの内部で板厚方向に角度が変化する」構成については、連結板２８が第１プレート２６のプレート面２６ａと第２プレート２７ａのプレート面２７ａ１に必ずしも直交している必要はなく、所定の角度で交差している構成であればよい。
【００８３】
上述したように、本実施形態に係る電気コネクタ２０Ａにおいて、コネクタハウジング２１は、凹状嵌合部２１ａの相手側の電気コネクタ３０Ａの凸状嵌合部３１ａの中央凹部３１ｃに対向する位置に突出して設けられ、接続端子列２２ａ、２２ｂの該接続端子の列幅方向の一端を保持する端子保持体２１ｊを有している。
【００８４】
電気コネクタ２０Ａは、複数列の接続端子列２２ａ、２２ｂよりも該接続端子の列方向の両外方側でコネクタハウジング２１に装着された導電性の第１プレート２６を有する導電性部材２５Ａを有している。そして、導電性部材２５Ａは、第１プレート２６の端子保持体２１ｊ側の端部から接続端子列２２ａ、２２ｂの列方向に端子保持体２１ｊ内部まで延在する第２プレート２７ａを有する構成となっている。
【００８５】
この構成により、本実施形態に係る電気コネクタ２０Ａは、第２プレート２７ａが端子保持体２１ｊ内まで延在しない導電性部材を用いるものに比べて該導電性部材２５Ａの体積（表面積）を増やすことができる。これにより、本実施形態に係る電気コネクタ２０Ａは、導電性部材２５Ａを、導通経路を構成するための端子として用いる場合、通電中に端子部分の温度が上昇し難くなり、該端子部分が高温となることを抑制したままより大きな電流を供給可能になる。また、端子部分の温度上昇を抑制することで、端子部分の発熱による周辺部位の塑性変形も低減でき、電気的な接続を安定させることができる。
【００８６】
なお、図６に示す導電性部材２５Ａの構成については、第２プレート２７ａを端子保持体２１ｊ内まで延在させ、該導電性部材２５Ａの体積を増やすことによって、通電中における端子部分の温度を上昇し難くすることについて述べたが、導電性部材２５Ａにおける第１プレート２６に延在させる第２プレート２７ａを断面積が大きな構造とし、発熱抵抗を低減させることで発熱を抑制するようにしてもよい（以下の第２ないし第５実施形態においても同じ）。
【００８７】
また、第２プレート２７ａが端子保持体２１ｊ内まで延在する導電性部材２５Ａを用いる電気コネクタ２０Ａの構成によれば、コネクタハウジング２１の両側に導電性部材２５Ａが端子として配置されることを前提とした場合、コネクタハウジング２１の外側の部位（導電性部材２５Ａの第１プレート２６が配置されている部位）で相手側の電気コネクタ３０Ａの凸状嵌合部３１ａから内側に掛かる荷重に対する剛性を高めることができ、かつ、コネクタハウジング２１の内部に延在する部位（導電性部材２５Ａの第２プレート２７ａを挟む接続端子列２２ａ、２２ｂは位置されている部位）で相手側の電気コネクタ３０Ａの凸状嵌合部３１ａから内側に掛かる荷重に対する剛性を高めることができ、相手側の電気コネクタ３０Ａの嵌合時の荷重で破壊し難いものとすることができる。
【００８８】
また、本実施形態に係る電気コネクタ２０Ａにおいて、導電性部材２５Ａは、端子保持体２１ｊにおける複数列の接続端子列２２ａ、２２ｂの間の位置まで第２プレート２７ａが延在している構成である。
【００８９】
この構成により、本実施形態に係る電気コネクタ２０Ａは、第１プレート２６から延在する第２プレート２７ａを、端子保持体２１ｊにおける複数列の接続端子列２２ａ、２２ｂの間の領域に収まる任意の形状とすることができ、体積を適宜増やすことができる。また、第２プレート２７が端子保持体２１ｊ内の複数列の接続端子列２２ａ、２２ｂの間まで延びていることにより、該第２プレート２７に対して一体的に第１プレート２６が連結されている導電性部材２５の端子としての強度が増す。これにより、電気コネクタ２０Ａにおいては、相手側の電気コネクタ３０Ａの凹凸係合時にも安定した電気的接続を維持することができ、電源あるいは信号の安定供給が可能となる。
【００９０】
また、本実施形態に係る電気コネクタ２０Ａにおいて、導電性部材２５Ａは、第１プレート２６と第２プレート２７ａを連結する連結板２８を有し、連結板２８が第１プレート２６のプレート面２６ａと第２プレート２７ａのプレート面２７ａ１に交差している構成である。
【００９１】
この構成により、本実施形態に係る電気コネクタ２０Ａは、相手側の電気コネクタ３０Ａの嵌入、離脱に際し、第１プレート２６のプレート面２６ａ、および該プレート面２６ａに交差する第２プレート２７ａのプレート面２７ａ１に加わるそれぞれ異なる方向から力に対しても変形し難い高い剛性を確保することができる。また、剛性の向上により、相手側の電気コネクタ３０Ａの嵌入、離脱に係る力を受けても破壊され難く、電気的な接続も安定させることができる。
【００９２】
要するに、本実施形態に係る電気コネクタ２０Ａは、導電性部材２５Ａの構成については、コネクタハウジング２１（端子保持体２１ｊ）の内部に、第１の面と、該第１の面に対して角度が異なる（つまり、第１の面に対して交差する）第２の面とがクランクした状態で連結されていればよい。これにより、本実施形態では、端子保持体２１ｊの内部に形成された２つの面（クランク面）により、該端子保持体２１ｊのそれぞれの方向の強度を高めることができる。
【００９３】
また、本実施形態に係る電気コネクタ２０Ａにおいて、導電性部材２５Ａは、第２プレート２７ａが、相手側の電気コネクタ３０Ａの凹凸係合方向に平行なプレート面２７ａ１を有する板状部材で構成されている。この構成により、本実施形態に係る電気コネクタ２０Ａは、第２プレート２７ａに第１プレート２６が一体的に連結される導電性部材２５Ａを端子として用いる場合に、該導電性部材２５の上記プレート面２７ａ１に直交する方向、すなわち、複数の接続端子列２２ａ、２２ｂの列幅方向の力に対する強度が高まる。これにより、電気コネクタ２０Ａは、端子としての導電性部材２５の強度を確保しつつ第２プレート２７ａの延設による発熱抑制および電気的接続安定化の効果が見込めるようになる。
【００９４】
また、本実施形態に係る電気コネクタ２０Ａにおいて、導電性部材２５Ａは、第２プレート２７ａの一部が、端子保持体２１ｊの上面側で露出している構成である。この構成により、本実施形態に係る電気コネクタ２０Ａでは、第２プレート２７ａを外部に露出しないように端子保持体２１ｊ内に完全に埋め込む場合に比べ、導電性部材２５Ａを含むコネクタハウジング２１の組み立てが容易となる。
【００９５】
また、本実施形態に係る電気コネクタセット１０は、前述の構成を有する電気コネクタ２０Ａと、この電気コネクタ２０Ａに対して対面方向に凹凸係合する電気コネクタ３０Ａとにより構成されている。この電気コネクタセット１０の構成によれば、相手側の電気コネクタ３０Ａと凹凸係合する電気コネクタ２０Ａは、導電性部材２５Ａが、第１プレート２６から接続端子の列方向に端子保持体２１ｊ内まで延設される第２プレート２７を有するため、第２プレート２７が端子保持体２１ｊ内まで延びる構成を有しないものに比べて該導電性部材２５Ａの体積を増やすことができる。これにより、本実施形態に係る電気コネクタセット１０は、導電性部材２５Ａを、導通経路を構成するための端子として用いる場合、通電中に端子部分の温度が上昇し難くなり、該端子部分が高温となることを抑制したままより大きな電流を供給可能になる。また、この電気コネクタセット１０では、相手側の電気コネクタ３０Ａの凹凸係合を受ける電気コネクタ２０Ａ側で端子部分の温度上昇を抑制することで、端子部分の発熱による周辺部位の塑性変形も低減でき、電気的な接続を安定させることができる。
【００９６】
以上説明したように、本実施形態では、端子部分の発熱を抑制しつつ大電流を供給できるとともに、電気的接続を安定させることが可能な電気コネクタ３０Ａ、および電気コネクタセット１０を提供することが可能となる。
【００９７】
（変形例）
図１３は、第１実施形態の変形例に係る電気コネクタ２０Ｂのコネクタハウジング２１−１に装着される導電性部材２５Ｂの構成を示す斜視図である。変形例に係る電気コネクタ２０Ｂは、コネクタハウジング２１−１に装着される導電性部材２５Ｂを除く主要な構成が前述の第１実施形態に係る電気コネクタ２０Ａと同一か類似するものであるので、ここでは、第１実施形態と類似する構成については同一符号で示し、第１実施形態と相違する点を主体に説明する。
【００９８】
この変形例に係る電気コネクタ２０Ｂにおいて、導電性部材２５Ｂは、図１３に示すように、複数の接続端子列２２ａ、２２ｂの接続端子の列方向の両外方側の２つの第１プレート２６がそれぞれの連結板２８を介して１つの第２プレート２７ｂにより連結された構成である。上記２つの第１プレート２６および連結板２８の構成は、第１実施形態に係る導電性部材２５Ａの第１プレート２６のものと同様である。
【００９９】
一方で、第２プレート２７ｂは、電気コネクタ２０Ｂと相手側の電気コネクタ３０Ａとの凹凸係合方向に平行なプレート面２７ｂ１を有する１つの板状部材で構成され、プレート面２７ｂ１の上記凹凸係合方向下端部には複数の外部接続部２７ｂ２が形成されている。導電性部材２５Ｂの構成は、第１実施形態に係る電気コネクタ２０Ａにおける２つの導電性部材２５Ａ（図６参照）において、一方の側の導電性部材２５Ａの第２プレート２７ａと他方の側の導電性部材２５Ａの第２プレート２７ａを各第１プレート２６の反対側で導通可能に連結した構成に相当する。
【０１００】
図１４は、変形例に係る電気コネクタ２０Ｂのコネクタハウジング２１−１の長手方向の縦断面図である。図１４においては、特に、コネクタハウジング２１−１における第１実施形態に係る電気コネクタ２０Ａのコネクタハウジング２１と同等の箇所（図９（ａ）参照）の縦断面図を示している。図１４に示すように、変形例に係る電気コネクタ２０Ｂは、コネクタハウジング２１−１の端子保持体２１ｊ内部を１つの第２プレート２７ｂが該端子保持体２１ｊを長手方向に貫いて配置されている。
【０１０１】
図１５は、変形例に係る電気コネクタ２０Ｂにおける導電性部材２５Ｂの端子運用パターンを示している。変形例に係る電気コネクタ２０Ｂによれば、導電性部材２５Ｂ（図１３、図１４参照）がコネクタハウジング２１−１の長手方向の一端から他端まで連なる１つの導電体で構成されているため、第１実施形態のように、電気的に分離された２つの導電性部材２５をそれぞれ正極または負極の端子とするような運用（図１２（ａ）および（ｂ）参照）は行えない。
【０１０２】
しかしながら、この変形例に係る電気コネクタ２０Ｂによれば、例えば、図１５に示すように、１つの導電性部材２５Ｂを用いて、電気コネクタ２０Ｂと相手側の電気コネクタ３０Ａとの凹凸係合状態において、各種の信号を送信する信号線として運用することができる。この端子運用パターンは、各導電性部材２５Ｂの外部接続部２７ａ２（図３（ｂ）参照）が、コネクタハウジング２１−１の基板対向面２１ｃ側で回路基板Ｐ（図２参照）上の信号用の配線パターンＷｐ２に接続されていることが前提となる。
【０１０３】
図１５に示す端子運用パターンにおいても、導電性部材２５Ｂは、両端の第１プレート２６から複数の接続端子列２２ａ、２２ｂの間で該接続端子の列方向に連なる第２プレート２７ｂが延在しているため、信号端子として大きな体積（表面積）を実現することができ、発熱を抑制しながら大電流を流すことが可能となる。
【０１０４】
次に、本発明の第２ないし第５実施形態について説明する。なお、これら各実施形態に係る電気コネクタ２０Ｃ、２０Ｄ、２０Ｅ、２０Ｆは、主要な構成が前述の第１実施形態と同一か類似するものであるので、以下の説明においては、第１実施形態と類似する構成については同一符号で示し、第１実施形態と相違する点について説明する。
【０１０５】
（第２実施形態）
図１６は、本発明の第２実施形態に係る電気コネクタ２０Ｃの外観斜視図である。図１７は、該電気コネクタ２０Ｃのコネクタハウジング２１−２に装着される導電性部材２５Ｃの斜視図であり、特に、（ａ）は上面側の外観を示し、（ｂ）はその下面側の外観を示している。また、図１８において、（ａ）は本実施形態に係る電気コネクタ２０Ｃのコネクタハウジング２１−２の長手方向の縦断面図（図１６におけるＧ−Ｇ線断面図）であり、（ｂ）は該コネクタハウジング２１−２の長手方向中間部の横断面図（図１６におけるＨ−Ｈ線断面図）である。
【０１０６】
本実施形態に係る電気コネクタ２０Ｃは、第１実施形態に係る電気コネクタ２０Ａと異なる構成として、コネクタハウジング２１−２には、図６に示す導電性部材２５に代えて図１７に示す導電性部材２５Ｃが装着されている。導電性部材２５Ｃは、第１プレート２６が第１実施形態に係る導電性部材２５Ａと同様の構成であり、第２プレート２７ｃ、および連結板２８ｂの構成が導電性部材２５Ａとは異なっている。
【０１０７】
図１７に示すように、導電性部材２５Ｃにおいて、連結板２８ｂは、第１プレート２６のプレート面２６ａの端辺から鉛直方向（図１中のＺ方向）に所定の高さで立ち上がった平板状部材で構成されている。第２プレート２７ｂは、連結板２８ｂと同様の幅を有する長尺の平板状部材から成り、連結板２８ｂの上端部に連結されて直角に折り曲げられて水平面を形成するように第１プレート２６の他端側に向けて延設されている。導電性部材２５Ｃにおいて、第２プレート２７ｃは、相手側の電気コネクタ３０Ａとの凹凸係合方向に対して垂直なプレート面２７ｃ１と、プレート面２７ｃ１の連結板２８ｃとは反対側の端部で下方に向けて折り曲げられた折り曲げ部２７ｃ２を有している。
【０１０８】
本実施形態に係る電気コネクタ２０Ｃにおいては、前述した構成を有する２つの誘電体部材２５Ｃが、例えば、図１６に示すように、各誘電体部材２５Ｃの第２プレート２７ｃの一部（プレート面２７ｃ１）が端子保持体２１ｊの上面から露出する状態でコネクタハウジング２１−２に装着されている。より具体的には、導電性部材２５Ｃは、図１６、図１８（ａ）に示すように、複数列の接続端子列２２ａ、２２ｂよりも該接続端子の列方向の両外方側でコネクタハウジング２１−２に装着された導電性の第１プレート２６と、コネクタハウジング２１−２に設けられ、複数列の接続端子列２２ａ、２２ｂの間で該接続端子の列方向に延在する導電性の第２プレート２７ｃを有し、第１プレート２６と第２プレート２７ｃが連結板２８ｃで連結された構成を有している。図１８（ｂ）に示すように、電気コネク２０Ｃにおいて、導電性部材２５Ｃを構成する第２プレート２７ｃは、複数列の接続端子列２２ａ、２２ｂの列幅方向の中央部分でしかも外部に露出する形態で端子保持体２１ｊに装着されている。
【０１０９】
本実施形態に係る電気コネクタ２０Ｃは、導電性部材２５Ｃが、複数列の接続端子列２２ａ、２２ｂよりも該接続端子の列方向の両外方側でコネクタハウジング２１−２に装着された導電性の第１プレート２６と、コネクタハウジング２１−２に設けられ、複数列の接続端子列２２ａ、２２ｂの間で該接続端子の列方向に延在する導電性の第２プレート２７ｃを有し、第１プレート２６と第２プレート２７ｃが連結板２８ｃで連結されている点においては第１の実施形態に係る電気コネクタ２０Ａと同様である。このため、導電性部材２５Ｃを、電源端子等として用いる場合には、第１実施形態と同様の作用効果を奏することができる。
【０１１０】
特に、本実施形態に係る電気コネクタ２０Ｃは、導電性部材２５Ｃの第２プレート２７ｃが、相手側の電気コネクタ３０Ａとの凹凸係合方向に対して垂直なプレート面２７ｃ１を有する板状部材で構成される。この構成により、本実施形態に係る電気コネクタ２０Ｃは、導電性部材２５Ｃを端子として用いる場合に、該導電性部材２５Ｃに第２プレート２７ｃの分、端子としての体積を増やすことができ、発熱を抑制し、電気的接続の安定化も図ることができる。
【０１１１】
また、本実施形態に係る電気コネクタ２０Ｃは、導電性部材２５Ｃの第２プレート２７ｃのプレート面２７ｃ１に直交する方向、すなわち、上記凹凸係合方向の力に対する強度を高めることができる。これにより、電気コネクタ２０Ｃは、端子としての導電性部材２５Ｃの強度を確保しつつ第２プレート２７ｃの延設による発熱抑制および電気的接続安定化の効果が見込めるようになる。この場合に、第２プレート２７ｃの先端部に折り曲げ部２７ｃ２を形成している本実施形態の構成によれば、折り曲げ部２７ｃ２を端子保持体２１ｊに食い込ませることで、導電性部材２５Ｃをより強固に固定することができる。
【０１１２】
本実施形態に係る電気コネクタ２０Ｃでは、導電性部材２５Ｃを例えば図１２（ａ）および（ｂ）に示すようなパターンで電源端子等として運用することができる。また、本実施形態に係る電気コネクタ２０Ｃは、例えば、第１実施形態の変形例（図１３参照）のように、両端の２つの導電性部材２５Ｃを１つの第２プレート２７ｃで連結する変形例の構成も実現でき、この場合には、導電性部材２５Ｃを例えば図１５に示すようなパターンで１本の信号線等として運用することができる。なお、上記変形例（第１プレート２６間を１つの第２プレート２７ｃで連結する）については、後述の各実施形態のものについても同様に実施し得ることはいうまでもない。
【０１１３】
（第３実施形態）
図１９は、本発明の第３実施形態に係る電気コネクタ２０Ｄの外観斜視図である。図２０は、該電気コネクタ２０Ｄのコネクタハウジング２１−３に装着される導電性部材２５Ｄの斜視図であり、特に、（ａ）は上面側の外観を示し、（ｂ）はその下面側の外観を示している。また、図２１において、（ａ）は本実施形態に係る電気コネクタ２０Ｄのコネクタハウジング２１−３の長手方向の縦断面図（図１９におけるＩ−Ｉ線断面図）であり、（ｂ）は該コネクタハウジング２１−３の長手方向中間部の横断面図（図１９におけるＪ−Ｊ線断面図）である。
【０１１４】
本実施形態に係る電気コネクタ２０Ｄにおいて、コネクタハウジング２１−３には、図２０に示す構成を有する導電性部材２５Ｄが装着されている。導電性部材２５Ｄは、第１プレート２６が第１実施形態に係る導電性部材２５Ａと同様の構成であり、第２プレート２７ｄ、および連結板２８ｄの構成が導電性部材２５Ａとは異なっている。
【０１１５】
図２０に示すように、導電性部材２５Ｄにおいて、連結板２８ｄは、第１プレート２６のプレート面２６ａの端辺から鉛直方向（図１中のＺ方向）に所定の高さで立ち上がった平板状部材で構成されている。第２プレート２７ｄは、連結板２８ｂの上端部に連結されて直角に折り曲げられて水平方向に第１プレート２６の他端側に向けて延設される延設部２７ｄ１と、延設部２７ｄ１にその長手方向に所定の距離間隔で取り付けられる複数の湾曲板状部材２７ｄ２と、延設部２７ｄ１の他端に形成され、下方に向けて折り曲げられた折り曲げ部２７ｄ３と、を有している。このように、導電性部材２５Ｄにおいて、第２プレート２７ｄは、一端に折り曲げ部２７ｄ３が形成された延設部２７ｄ１上に複数の接続端子列２２ａ、２２ｂの列方向に沿って所定の間隔で設けられ、それぞれが開口を有するように上記接続端子列２２ａ、２２ｂの列幅方向に折り曲げられた湾曲板状部材２７ｄ２を備えた構成である。
【０１１６】
本実施形態に係る電気コネクタ２０Ｄにおいては、前述した構成を有する２つの誘電体部材２５Ｄが、例えば、図１９に示すように、各誘電体部材２５Ｄの第２プレート２７ｄの一部（延設部２７ｄ１、湾曲板状部材２７ｄ２）が端子保持体２１ｊの上面から露出する状態でコネクタハウジング２１−３に装着されている。より具体的には、導電性部材２５Ｄは、図１９、図２１（ａ）に示すように、複数列の接続端子列２２ａ、２２ｂよりも該接続端子の列方向の両外方側でコネクタハウジング２１−３に装着された導電性の第１プレート２６と、コネクタハウジング２１−３に設けられ、複数列の接続端子列２２ａ、２２ｂの間で該接続端子の列方向に延在する導電性の第２プレート２７ｄを有し、第１プレート２６と第２プレート２７ｄが連結板２８ｄで連結された構成を有している。図２１（ｂ）に示すように、電気コネク２０Ｄにおいて、導電性部材２５Ｄを構成する第２プレート２７ｄは、湾曲板状部材２７ｄ２が、複数列の接続端子列２２ａ、２２ｂの列幅方向の中央部分に位置しかつ外部に露出するように端子保持体２１ｊに装着されている。ここで、第２プレート２７ｄは、湾曲板状部材２７ｄ２がその開口に対して端子保持体２１ｊに設けた係合凸部２１ｊ１が係合するような構成となっている。
【０１１７】
本実施形態に係る電気コネクタ２０Ｄは、導電性部材２５Ｄが、複数列の接続端子列２２ａ、２２ｂよりも該接続端子の列方向の両外方側でコネクタハウジング２１−３に装着された導電性の第１プレート２６と、コネクタハウジング２１−３に設けられ、複数列の接続端子列２２ａ、２２ｂの間で該接続端子の列方向に延在する導電性の第２プレート２７ｄを有し、第１プレート２６と第２プレート２７ｄが連結板２８ｄで連結されている点では第１の実施形態に係る電気コネクタ２０Ａと同様である。このため、導電性部材２５Ｄを、電源端子等として用いる場合には、第１実施形態と同様の作用効果を奏することができる。
【０１１８】
特に、本実施形態に係る電気コネクタ２０Ｄでは、導電性部材２５Ｄは、第２プレート２７ｄが、複数列の接続端子列２２ａ、２２ｂの列方向に沿って所定の間隔で設けられ、それぞれが端子保持体２１ｊの係合凸部２１ｊ１に係合する開口を有するように接続端子列２２ａ、２２ｂの列幅方向両側に折り曲げられた湾曲板状部材２７ｄ２を有する構成である。この構成により、本実施形態に係る電気コネクタ２０Ｄは、導電性部材２５Ｄを端子として用いる場合に、該導電性部材２５Ｄに設けた湾曲板状部材２７ｄ２の分、端子としての体積を増やすことができ、発熱を抑制し、電気的接続の安定化も図ることができる。また、湾曲板状部材２７ｄ２の開口を端子保持体２１ｊの係合凸部２１ｊ１に係合させること、および、第２プレート２７ｃの先端部の折り曲げ部２７ｃ２を端子保持体２１ｊに食い込ませること等により、導電性部材２５Ｃをより強固に固定できるようになる。
【０１１９】
本実施形態に係る電気コネクタ２０Ｄにおいても、導電性部材２５Ｄを例えば図１２（ａ）および（ｂ）に示すようなパターンで電源端子等として運用することができる。また、本実施形態に係る電気コネクタ２０Ｃは、例えば、第１実施形態の変形例（図１３参照）のように、両端の２つの導電性部材２５Ｄを１つの第２プレート２７ｄで連結するように変形することにより、導電性部材２５Ｃを例えば図１５に示すようなパターンで１本の信号線等として運用することも可能になる。
【０１２０】
（第４実施形態）
図２２は、本発明の第４実施形態に係る電気コネクタ２０Ｅの外観斜視図である。図２３は、該電気コネクタ２０Ｅのコネクタハウジング２１−４に装着される導電性部材２５Ｅの斜視図であり、特に、（ａ）は上面側の外観を示し、（ｂ）はその下面側の外観を示している。また、図２４において、（ａ）は本実施形態に係る電気コネクタ２０Ｅのコネクタハウジング２１−４の長手方向の縦断面図（図２２におけるＫ−Ｋ線断面図）であり、（ｂ）は該コネクタハウジング２１−４の長手方向中間部の横断面図（図２２におけるＬ−Ｌ線断面図）である。
【０１２１】
本実施形態に係る電気コネクタ２０Ｅにおいて、コネクタハウジング２１−４には、図２３に示す構成を有する導電性部材２５Ｅが装着されている。導電性部材２５Ｅは、第１プレート２６が第１実施形態に係る導電性部材２５Ａと同様の構成であり、第２プレート２７ｅ、および連結板２８ｅの構成が導電性部材２５Ａとは異なっている。
【０１２２】
図２３に示すように、導電性部材２５Ｅにおいて、連結板２８ｅは、第１プレート２６のプレート面２６ａの端辺から鉛直方向（図１中のＺ方向）に所定の高さで立ち上がった平板状部材で構成されている。第２プレート２７ｅは、連結板２８ｅの上端部に連結されて直角に折り曲げられて水平方向に第１プレート２６の他端側に向けて延設される延設部２７ｅ１と、延設部２７ｅ１にその長手方向に所定の距離間隔で取り付けられる複数の湾曲板状部材２７ｅ２と、延設部２７ｅ１の他端に形成され、下方に向けて折り曲げられた折り曲げ部２７ｅ３と、を有している。第３実施形態に係る導電性部材２５Ｄ（図２０参照）の湾曲板状部材２７ｄ２は、開口を有するように接続端子列２２ａ、２２ｂの列幅方向両側に折り曲げられた形状であったが、本実施形態に係る導電性部材２５Ｅの湾曲板状部材２７ｅ２は、接続端子列２２ａ、２２ｂの列幅方向の片側（右側又は左側）にかつ交互に折り曲げられた形状を有するものである。
【０１２３】
本実施形態に係る電気コネクタ２０Ｅにおいては、前述した構成を有する２つの誘電体部材２５Ｅが、例えば、図２２に示すように、各誘電体部材２５Ｅの第２プレート２７ｅの一部（延設部２７ｅ１、湾曲板状部材２７ｅ２）が端子保持体２１ｊの上面から露出する状態でコネクタハウジング２１−４に装着されている。より具体的には、導電性部材２５Ｅは、図２２、図２４（ａ）に示すように、複数列の接続端子列２２ａ、２２ｂよりも該接続端子の列方向の両外方側でコネクタハウジング２１−４に装着された導電性の第１プレート２６と、コネクタハウジング２１−４に設けられ、複数列の接続端子列２２ａ、２２ｂの間で該接続端子の列方向に延在する導電性の第２プレート２７ｅを有し、第１プレート２６と第２プレート２７ｅが連結板２８ｅで連結された構成を有している。図２４（ｂ）に示すように、電気コネク２０Ｅにおいて、導電性部材２５Ｅを構成する第２プレート２７ｅは、湾曲板状部材２７ｅ２が、複数列の接続端子列２２ａ、２２ｂの列幅方向の中央部分の右寄りまたは左寄りに位置しかつその上面が外部に露出するように端子保持体２１ｊに装着されている。ここで、第２プレート２７ｅは、湾曲板状部材２７ｅ２の折り曲げられた面が端子保持体２１ｊに設けた係合部２１ｊ２が係合する構成となっている。
【０１２４】
本実施形態に係る電気コネクタ２０Ｅは、導電性部材２５Ｅが、複数列の接続端子列２２ａ、２２ｂよりも該接続端子の列方向の両外方側でコネクタハウジング２１−４に装着された導電性の第１プレート２６と、コネクタハウジング２１−４に設けられ、複数列の接続端子列２２ａ、２２ｂの間で該接続端子の列方向に延在する導電性の第２プレート２７ｅを有し、第１プレート２６と第２プレート２７ｅが連結板２８ｅで連結された構成である点においては第１の実施形態に係る電気コネクタ２０Ａと同様である。このため、導電性部材２５Ｅを、電源端子等として用いる場合には、第１実施形態と同様の作用効果を奏することができる。
【０１２５】
特に、本実施形態に係る電気コネクタ２０Ｅでは、導電性部材２５Ｅは、第２プレート２７ｅが、複数列の接続端子列２２ａ、２２ｂの列方向に沿って所定の間隔で設けられ、それぞれが端子保持体２１ｊの係合部２１ｊ２に係合する面を形成するように接続端子列２２ａ、２２ｂの列幅方向片側に交互に折り曲げられた湾曲板状部材２７ｅ２を有する構成である。この構成により、本実施形態に係る電気コネクタ２０Ｅは、導電性部材２５Ｅを端子として用いる場合に、該導電性部材２５Ｅに設けた湾曲板状部材２７ｅ２の分、端子としての体積を増やすことができ、発熱を抑制し、電気的接続の安定化も図ることができる。また、湾曲板状部材２７ｅ２の折り曲げられた面を端子保持体２１ｊの係合部２１ｊ２に係合させること、および、第２プレート２７ｅの先端部の折り曲げ部２７ｅ３を端子保持体２１ｊに食い込ませること等により、導電性部材２５Ｅをより強固に固定することができるようになる。
【０１２６】
本実施形態に係る電気コネクタ２０Ｅにおいても、導電性部材２５Ｅを例えば図１２（ａ）および（ｂ）に示すようなパターンで電源端子等として運用することができる。また、本実施形態に係る電気コネクタ２０Ｅは、例えば、第１実施形態の変形例（図１２参照）のように、両端の２つの導電性部材２５Ｅを１つの第２プレート２７ｅで連結するように変形することにより、導電性部材２５Ｅを例えば図１５に示すようなパターンで１本の信号線等として運用することも可能になる。
【０１２７】
（第５実施形態）
図２５は、本発明の第５実施形態に係る電気コネクタ２０Ｆの外観斜視図である。図２６は、該電気コネクタ２０Ｆのコネクタハウジング２１−５に装着される導電性部材２５Ｆの斜視図であり、特に、（ａ）は上面側の外観を示し、（ｂ）はその下面側の外観を示している。また、図２７において、（ａ）は本実施形態に係る電気コネクタ２０Ｆのコネクタハウジング２１−５の長手方向の縦断面図（図２５におけるＭ−Ｍ線断面図）であり、（ｂ）は該コネクタハウジング２１−５の長手方向中間部の横断面図（図２５におけるＮ−Ｎ線断面図）である。
【０１２８】
本実施形態に係る電気コネクタ２０Ｆにおいて、コネクタハウジング２１−５には、図２６に示す構成を有する導電性部材２５Ｆが装着されている。導電性部材２５Ｆは、第１プレート２６が第１実施形態に係る導電性部材２５Ａと同様の構成であり、第２プレート２７ｆ、および連結板２８ｆの構成が導電性部材２５Ａとは異なっている。
【０１２９】
図２６に示すように、導電性部材２５Ｆにおいて、連結板２８ｆは、第１プレート２６のプレート面２６ａの端辺から鉛直方向（図１中のＺ方向）に所定の高さで立ち上がり、その上端で水平方向に直角に折り曲げられた平板状部材で構成されている。第２プレート２７ｆは、連結板２８ｆの端部に対して水平方向に第１プレート２６の他端側に向けて延設される延設部２７ｆ１と、延設部２７ｆ１を連結板２８ｆの端部に連結する細板状の連結部２７ｆ２とを有している。第２プレート２７において、延設部２７ｆ１は、複数の接続端子列２２ａ、２２ｂの列方向に沿った溝部２７ｆ３を有する桶状部材により構成されている。
【０１３０】
本実施形態に係る電気コネクタ２０Ｆにおいては、前述した構成を有する２つの誘電体部材２５Ｆが、例えば、図２５に示すように、各誘電体部材２５Ｆの第２プレート２７ｆの一部（延設部２７ｆ１）が端子保持体２１ｊの上面から露出する状態でコネクタハウジング２１−５に装着されている。より具体的には、導電性部材２５Ｆは、図２５、図２７（ａ）に示すように、複数列の接続端子列２２ａ、２２ｂよりも該接続端子の列方向の両外方側でコネクタハウジング２１−５に装着された導電性の第１プレート２６と、コネクタハウジング２１−５に設けられ、複数列の接続端子列２２ａ、２２ｂの間で該接続端子の列方向に延在する導電性の第２プレート２７ｆを有し、第１プレート２６と第２プレート２７ｆが連結板２８ｆで連結された構成を有している。図２７（ｂ）に示すように、電気コネク２０Ｅにおいて、導電性部材２５Ｆを構成する第２プレート２７ｆは、延設部２７ｆ１が、複数列の接続端子列２２ａ、２２ｂの列幅方向の中央部分に位置しかつその上面が外部に露出するように端子保持体２１ｊに装着されている。ここで、第２プレート２７ｆは、延設部２７ｆ１を構成する桶状部材の溝部２７ｆ３が端子保持体２１ｊに設けた係合凸部２１ｊ３に対して係合する構成となっている。
【０１３１】
本実施形態に係る電気コネクタ２０Ｆは、導電性部材２５Ｆが、複数列の接続端子列２２ａ、２２ｂよりも該接続端子の列方向の両外方側でコネクタハウジング２１−５に装着された導電性の第１プレート２６と、コネクタハウジング２１−５に設けられ、複数列の接続端子列２２ａ、２２ｂの間で該接続端子の列方向に延在する導電性の第２プレート２７ｆを有し、第１プレート２６と第２プレート２７ｆが連結板２８ｆで連結された構成である点においては第１の実施形態に係る電気コネクタ２０Ａと同様である。このため、導電性部材２５Ｆを、電源端子等として用いる場合には、第１実施形態と同様の作用効果を奏することができる。
【０１３２】
特に、本実施形態に係る電気コネクタ２０Ｆにおいて、導電性部材２５Ｆは、第２プレート２７が、複数列の接続端子列２２ａ、２２ｂの列方向に沿った溝部２７ｆ３を有する桶状部材により構成されている。この構成により、本実施形態に係る電気コネクタ２０Ｆは、導電性部材２５Ｆを端子として用いる場合に、該導電性部材２５Ｆに設けた延設部（桶状部材）２７ｆ１の分、端子としての体積を増やすことができ、発熱を抑制し、電気的接続の安定化も図ることができる。また、桶状部材の溝部２７ｆ３に端子保持体２１ｊの係合凸部２１ｊ３が係合することにより、導電性部材２５Ｆをより強固に固定することが可能となる。
【０１３３】
本実施形態に係る電気コネクタ２０Ｆにおいても、導電性部材２５Ｆを例えば図１２（ａ）および（ｂ）に示すようなパターンで電源端子等として運用することができる。また、本実施形態に係る電気コネクタ２０Ｆは、例えば、第１実施形態の変形例（図１３参照）のように、両端の２つの導電性部材２５Ｆを１つの第２プレート２７ｆで連結するように変形することにより、導電性部材２５Ｆを例えば図１５に示すようなパターンで１本の信号線等として運用することも可能になる。
【０１３４】
なお、第２ないし第５実施形態においては、第２プレート２７ｃ、２７ｄ、２７ｅ、２７ｆの上面が端子保持体２１ｊの上面側に露出する形態について述べたが、該第２プレート２７ｃ、２７ｄ、２７ｅ、２７ｆが露出せず、端子保持体２１ｊの内部に収容されている構成とすることも可能である。
【０１３５】
以上説明したように、本発明は、端子部分の発熱を抑制しつつ大電流を供給できるとともに、電気的接続を安定させることが可能な電気コネクタ、および電気コネクタセットを提供することができるものである。かかる本発明は、回路基板に実装されるソケットとそのソケットに凹凸係合するプラグとを有する電気コネクタ全般に有用である。
【符号の説明】
【０１３６】
１０  電気コネクタセット
２０Ａ、２０Ｂ、２０Ｃ、２０Ｄ、２０Ｅ、２０Ｆ  電気コネクタ
２１、２１−１、２１−２、２１−３、２１−４、２１−５  コネクタハウジング
２１ａ  凹状嵌合部
２１ｈ、２１ｉ  端子保持部
２１ｊ  端子保持体
２１ｊ１、２１ｊ３  係合凸部
２１ｊ２  係合部
２２ａ、２２ｂ  接続端子列
２４  補強金具
２５Ａ、２５Ｂ、２５Ｃ、２５Ｄ、２５Ｅ、２５Ｆ  導電性部材
２６  第１プレート
２６ａ  プレート面
２６ａ１  外部接続部
２７ａ、２７ｂ、２７ｃ、２７ｄ、２７ｅ、２７ｆ  第２プレート
２７ａ１、２７ｂ１、２７ｃ１  プレート面
２７ｄ１、２７ｅ１  延設部
２７ｄ２、２７ｅ２  湾曲板状部材
２７ｆ１  延設部（桶状部材）
２７ｆ３  溝部
２８、２８ｃ、２８ｄ、２８ｅ、２８ｆ  連結板
３０Ａ  電気コネクタ（相手側コネクタ）
３１  コネクタハウジング
３１ａ  凸状嵌合部
３１ｃ  中央凹部
【図１】
2020061292.tif 000003
【図２】
2020061292.tif 000004
【図３】
2020061292.tif 000005
【図４】
2020061292.tif 000006
【図５】
2020061292.tif 000007
【図６】
2020061292.tif 000008
【図７】
2020061292.tif 000009
【図８】
2020061292.tif 000010
【図９】
2020061292.tif 000011
【図１０】
2020061292.tif 000012
【図１１】
2020061292.tif 000013
【図１２】
2020061292.tif 000014
【図１３】
2020061292.tif 000015
【図１４】
2020061292.tif 000016
【図１５】
2020061292.tif 000017
【図１６】
2020061292.tif 000018
【図１７】
2020061292.tif 000019
【図１８】
2020061292.tif 000020
【図１９】
2020061292.tif 000021
【図２０】
2020061292.tif 000022
【図２１】
2020061292.tif 000023
【図２２】
2020061292.tif 000024
【図２３】
2020061292.tif 000025
【図２４】
2020061292.tif 000026
【図２５】
2020061292.tif 000027
【図２６】
2020061292.tif 000028
【図２７】
2020061292.tif 000029